(57)【要約】【課題】複数の端子を備えて構成されているのコネクタにおいて、各端子の設置に要する時間を短縮する。【解決手段】端子設置部９が所定のピッチＰ１でならんで複数設けられているハウジング５と、ハウジングの各端子設置部に設置されるときには、端子キャリヤ部によってお互いが接続されて前記所定のピッチでならんでおり、各端子設置部のそれぞれに設置された状態では、端子キャリヤ部が分離されて撤去されている複数の端子７とを有するコネクタ１である。【選択図】図１
2014120425.tif 000002
【特許請求の範囲】
【請求項１】
端子設置部が所定のピッチでならんで複数設けられているハウジングと、
前記ハウジングの各端子設置部に設置されるときには、端子キャリヤ部によってお互いが接続されて前記所定のピッチでならんでおり、前記各端子設置部のそれぞれに設置された状態では、前記端子キャリヤ部が分離されて撤去されている複数の端子と、
を有することを特徴とするコネクタ。
【請求項２】
請求項１に記載のコネクタにおいて、
前記各端子が前記端子キャリヤ部で接続されている状態では、前記各端子は幅方向でならんでおり、
前記各端子のオスタブ部には、前記幅方向の寸法を小さくするための折り返しがなされていることを特徴とするコネクタ。
【請求項３】
請求項１または請求項２に記載のコネクタにおいて、
前記各端子が前記ハウジングの端子設置部に仮設置されたときに、前記端子キャリヤ部が分離されて撤去され、この分離撤去後、前記各端子の前記各端子設置部への本設置がされていることを特徴とするコネクタ。
【請求項４】
請求項３に記載のコネクタにおいて、
前記ハウジングには、前記各端子が前記各端子設置部に仮設置された状態を検知するための半挿入検知部が設けられていることを特徴とするコネクタ。
【発明の詳細な説明】
【技術分野】
【０００１】
本発明は、コネクタに係り、特に、ハウジングに複数の端子が設置されているものに関する。
【背景技術】
【０００２】
従来、図１４〜図１６で示すようなコネクタ３０１が知られている（たとえば、特許文献１参照）。コネクタ３０１は第１ハウジング３０３と第２ハウジング３０５と端子３０７とを備えて構成されている。
【０００３】
端子３０７は多極で設けられており（複数個設けられており）、各端子３０７は、第１ハウジングに収納されている。また、各端子３０７は、圧入されることで第１ハウジング一体的に設けられている。
【０００４】
各端子３０７には、弾性接触片３０９が設けられており、第１ハウジング３０３に嵌合して設置された回路基板３１１の回路に弾性接触片３０９が接続されるようになっている。
【先行技術文献】
【特許文献】
【０００５】
【特許文献１】特開２００２−３６７６９６号公報
【発明の概要】
【発明が解決しようとする課題】
【０００６】
ところで、従来のコネクタ３０１では、複数の端子３０７が上下２段で幅方向（図１６の左右方向）にならんで複数設けられていて、多極のコネクタが形成されているので、端子３０７のハウジング３０３への設置に時間がかかってしまうという問題がある。
【０００７】
本発明は、上記問題点に鑑みてなされたものであり、複数の端子を備えて構成されているのコネクタ（多極のコネクタ）において、各端子の設置に要する時間を短縮することができるものを提供することを目的とする。
【課題を解決するための手段】
【０００８】
請求項１に記載の発明は、端子設置部が所定のピッチでならんで複数設けられているハウジングと、前記ハウジングの各端子設置部に設置されるときには、端子キャリヤ部によってお互いが接続されて前記所定のピッチでならんでおり、前記各端子設置部のそれぞれに設置された状態では、前記端子キャリヤ部が分離されて撤去されている複数の端子とを有するコネクタである。
【０００９】
請求項２に記載の発明は、請求項１に記載のコネクタにおいて、前記各端子が前記端子キャリヤ部で接続されている状態では、前記各端子は幅方向でならんでおり、前記各端子のオスタブ部には、前記幅方向の寸法を小さくするための折り返しがなされているコネクタである。
【００１０】
請求項３に記載の発明は、請求項１または請求項２に記載のコネクタにおいて、前記各端子が前記ハウジングの端子設置部に仮設置されたときに、前記端子キャリヤ部が分離されて撤去され、この分離撤去後、前記各端子の前記各端子設置部への本設置がされているコネクタである。
【００１１】
請求項４に記載の発明は、請求項３に記載のコネクタにおいて、前記ハウジングには、前記各端子が前記各端子設置部に仮設置された状態を検知するための半挿入検知部が設けられているコネクタである。
【発明の効果】
【００１２】
本発明によれば、複数の端子を備えて構成されているのコネクタにおいて、各端子の設置に要する時間を短縮することができるという効果を奏する。
【図面の簡単な説明】
【００１３】
【図１】本発明の実施形態に係るコネクタの概略構成を示す斜視図である。
【図２】図１におけるＩＩ矢視図である。
【図３】図１におけるＩＩＩ矢視図である。
【図４】図１におけるＩＶ−ＩＶ断面を示す図である。
【図５】本発明の実施形態に係るコネクタにおいて、ハウジングに端子を設置する前の状態を示す斜視図である。
【図６】本発明の実施形態に係るコネクタにおいて、ハウジングに端子を仮設置した状態を示す斜視図である。
【図７】図６におけるＶＩＩ―ＶＩＩ断面を示す図である。
【図８】図６におけるＶＩＩＩ―ＶＩＩＩ断面を示す図である。
【図９】図５におけるＩＸ―ＩＸ断面を示す図である。
【図１０】本発明の実施形態に係るコネクタの各端子を示す斜視図である。
【図１１】本発明の実施形態に係るコネクタの端子を示す図であり、（ｂ）は（ａ）におけるＸＩＢ矢視図であり、（ｃ）は（ａ）におけるＸＩＣ−ＸＩＣの拡大した断面図である。
【図１２】変形例に係る端子を示す斜視図である。
【図１３】別の変形例に係る端子を示す図であり、（ｂ）は（ａ）におけるＸＩＩＩＢ矢視図であり、（ｃ）は（ａ）におけるＸＩＩＩＣ−ＸＩＩＩＣの拡大した断面図である。
【図１４】従来のコネクタを示す図である。
【図１５】従来のコネクタを示す図である。
【図１６】従来のコネクタを示す図である。
【発明を実施するための形態】
【００１４】
本実施形態においては、説明の便宜のために、所定の一方向を前後方向とし、この前後方向に対して直交する所定の一方向を幅方向とし、前後方向と幅方向とに対して直交する方向を高さ方向とする。
【００１５】
本発明の実施形態に係るコネクタ（カードエッジコネクタ等）１は、たとえば、回路基板（プリント基板）３（図４参照）に設置されて使用されるものである。コネクタ１の一方の側（前側）が回路基板３に係合し、コネクタ１の他方の側（後側）には、電線用端子（図示せず）が設置され、この電線用端子から電線が延出するようになっている。なお、コネクタ１を介して回路基板３に形成されている端子部（図示せず）と電線用端子から延出する電線とが導通するようになっている。
【００１６】
コネクタ１は、図１や図３等で示すように、ハウジング５と複数の端子７とを備えて構成されている。
【００１７】
ハウジング５は、たとえば、非導電性の合成樹脂等の材料で一体成形されて生成されており、複数の端子設置部（端子挿入部；キャビティ）９が設けられている。端子設置部９には、端子７が挿入され圧入されて一体的に設置されるようになっている。各端子設置部９は、所定のピッチＰ１で幅方向にならんでいる。
【００１８】
ハウジング５の各端子設置部９に設置されるとき（挿入される前と挿入され圧入されるとき）、各端子７は、端子キャリヤ部１１によってお互いが接続されている。換言すれば端子キャリヤ部１１と各端子７とは一体化している（図５等参照）。そして、各端子７は、所定のピッチ（ハウジング５の端子設置部９のピッチＰ１と同じピッチ）Ｐ２で幅方向にならんでいる。
【００１９】
また、各端子設置部９のそれぞれに挿入され圧入されて設置された状態（設置が終了した状態）では、各端子７から端子キャリヤ部１１が分離されて撤去されている。
【００２０】
各端子７と端子キャリヤ部１１とで端子集合体１３（図５、図９等参照）が形成されている。端子集合体１３は、ハウジング５よりも硬い金属等の導電性材料で構成されている。
【００２１】
さらに説明すると、端子集合体１３は、たとえば板状の金属の素材をプレス加工等することで生成されており、各端子７は、端子キャリヤ部１１を介してお互いが接続されている。そして、端子集合体１３の状態で、各端子７がハウジング５に挿入されるようになっている。上記挿入は、ハウジング５の後方に端子集合体１３が存在している状態から、ハウジング５に対して端子集合体１３を前側に移動することでなされるようになっている。
【００２２】
各端子７をハウジング５に設置し終えた状態では、端子キャリヤ部１１が接続部（たとえばマイクロジョイント部）１５で切り離され、各端子７から分離されて撤去されている。そして、各端子７が所定のピッチＰ２（Ｐ１）でならんでいて、各端子７同士はお互いが離れて非接触な状態になっている。
【００２３】
端子７のオスタブ部１７に、幅方向の寸法を小さくするための折り返し（図１０、図１１（ｃ）等参照）がなされている（折り返し部１９が形成されている）。
【００２４】
オスタブ部１７は、端子７の前後方向後側に形成されている。そして、オスタブ部１７には、電線用端子（図示せず）が接続されるようになっている。なお、端子７の前後方向前側には、回路基板３の端子部に接続される弾性接触部２１が形成されている。
【００２５】
また、コネクタ１では、各端子７がハウジング５の端子設置部９に途中まで挿入され圧入されて仮設置されたときに、端子キャリヤ部１１が各端子７から分離されて撤去されている。
【００２６】
この分離撤去後、各端子７のそれぞれがさらに所定の位置まで挿入され圧入されて、各端子７のハウジング５の各端子設置部９への本設置されている。なお、本設置がなされたことでコネクタ１がたとえば製品として完成する。
【００２７】
ハウジング５には、各端子７のそれぞれが各端子設置部９のそれぞれに挿入され圧入されて仮設置された状態を検知するための半挿入検知部２３が設けられている。半挿入検知部２３は、たとえば、各端子７がハウジング５の端子設置部９に本設置されたときにオスタブ部１７を保護するとともに、オスタブ部１７に接続される電線用端子をガイドするように構成されている。
【００２８】
コネクタ１についてさらに詳しく説明すると、ハウジング５は、所定の厚さ（高さ寸法）を備えた矩形な平板状のハウジング本体部２５を備えて構成されている。ハウジング本体部２５の幅方向の両端部は、半円柱状に形成されている。
【００２９】
半挿入検知部２３は、幅寸法がハウジング本体部２５の幅寸法よりも僅かに小さくなっている矩形な薄い平板状に形成されており、一対で設けられている。半挿入検知部２３は、この厚さ方向がハウジング本体部２５の高さ方向と一致するようにして、ハウジング本体部２５の後端部から後方に突出している。
【００３０】
また、一対の半挿入検知部２３のうちの一方のものは、ハウジング本体部２５の上側に位置しており、他方のものは、ハウジング本体部２５の下側に位置している。そして、一対の平板状の半挿入検知部２３は、ハウジング５の高さ方向で所定の間隔をあけてお互いが平行になって展開している。
【００３１】
各端子設置部９は、上述したように、ハウジング５の幅方向でならんでいるとともに、ハウジング５の高さ方向で２段になっている。２段（２列）のうちの一方の列の各端子設置部９は、ハウジング５の高さ方向の上側に位置しており、他方の列の各端子設置部９は、ハウジング５の高さ方向の下側に位置している。なお、一方の列の各端子設置部９のそれぞれと、他方の列の各端子設置部９のそれぞれとは、図２や図３等から理解されるように、ハウジング５の幅方向で位置がお互いに一致している。
【００３２】
端子設置部９は、ハウジング５の前後方向でハウジング本体部２５を貫通している空間と一対の半挿入検知部２３との間の空間とで形成されている。各端子設置部９は、上述したように、ハウジング５の幅方向で所定のピッチＰ１でならんでいる。
【００３３】
また、端子設置部９は、タブ配置部２７と嵌合部２９と弾性接触部配置部３１とを備えて構成されている。タブ配置部２７と嵌合部２９と弾性接触部配置部３１とは、ハウジング５の後から前に向かう方向でお互いがつながりこの順にならんでいる。弾性接触部配置部３１はハウジング本体部２５の前後方向中間部に設けられており、嵌合部２９はハウジング本体部２５の後側に設けられており、タブ配置部２７は一対の半挿入検知部２３との間の空間に設けられている。
【００３４】
端子７の設置が終了したコネクタ１では、タブ配置部２７内に端子７のオスタブ部１７が位置し、嵌合部２９に端子７の中間部３３（図１１（ｂ）等を参照）が嵌合し、弾性接触部配置部３１内に、端子７の弾性接触部２１が位置するようになっている。なお、端子７の中間部３３が嵌合部２９に嵌りこむことで、端子７がハウジング５に一体的に設置されている。
【００３５】
ハウジング本体部２５には、回路基板３が挿入されて設置される回路基板設置部３５が設けられている。回路基板設置部３５は、矩形は平板状の空間で形成されている。回路基板設置部３５は、この厚さ方向がハウジング本体部２５の厚さ方向と一致するようにして、ハウジング本体部２５の高さ方向の中央部に設けられている。
【００３６】
また、回路基板設置部３５は、ハウジング本体部２５の幅方向では、一端部の近傍から他端部の近傍にわたって連続して形成されており、ハウジング本体部２５の前後方向では、前端から嵌合部２９の前端のところまで連続して形成されている。これにより、回路基板設置部３５の後側の部位と弾性接触部配置部３１とは一部で重なっており、回路基板設置部３５がハウジング本体部２５の幅方向で各弾性接触部配置部３１をお互いにつないでいる。
【００３７】
端子７は、図１１等で示すように、折り返し部１９が形成されているオスタブ部１７と、中間部３３と、弾性接触部２１とを備えて構成されている。端子７は細長く形成されており、前後方向に長くなっている。オスタブ部１７と中間部３３と弾性接触部２１とは、後から前に向かってこの順にならんでいる。
【００３８】
オスタブ部１７は、先端側部位３７と基端側部位３９とで構成されている。折り返し部１９は、先端側部位３７に形成されている。折り返し部１９の断面形状は、図１１（ｃ）で示すように、中間部３３に直接つながっている「一」字状の部位４１と折り曲げがなされることで形成された「コ」字状の部位４３とで「ロ」字状に形成されている。
【００３９】
中間部３３は、第１の圧入部４５とくびれ部４７と第２の圧入部４７とを備えて構成されている。第１の圧入部４５とくびれ部４７と第２の圧入部４７とは、前から後に向かってこの順にならんでいる。
【００４０】
くびれ部４７の幅は、オスタブ部１７の幅よりも大きくなっており、第１の圧入部４５の幅は、くびれ部４７の幅よりも大きくなっており、第２の圧入部４９の幅は、第１の圧入部４５の幅よりも大きくなっている。なお、各圧入部４５，４７の前側には、前に向かうにこの幅が次第に小さくなっているテーパ部（勾配部）が形成されている。
【００４１】
弾性接触部２１は、図１１（ａ）等で示すように、高さ方向（厚さ方向）で「ヘ」字状に湾曲しており、基端側部位５１と接触部位５３と先端側部位５５とを備えて構成されている。基端側部位５１と接触部位５３と先端側部位５５とは後から前に向かってこの順にならんでいる。
【００４２】
ここで、端子集合体１３について詳しく説明する。端子集合体１３は、前述したように、複数の端子７と端子キャリヤ部１１とを備えて構成されている。
【００４３】
端子キャリヤ部１１は、図８等で示すように、第１の連結部５７と複数の第２の連結部５９とを備えて構成されている。各連結部５７，５９は、細長い矩形状に形成されている。第１の連結部５７は、この長手方向が端子集合体１３の幅方向と一致するようにして、端子集合体１３の幅方向にならんだ各端子７の後方で各端子７から所定の距離だけ離れている。
【００４４】
第２の連結部５９は、この長手方向が端子集合体１３の前後方向と一致している。また、第２の連結部５９は、後端が第１の連結部５７に連結しており、前端が端子７の中間部３３の後端に連結している。さらに、第２の各連結部５９のそれぞれは、端子集合体１３の幅方向で、各端子７（オスタブ部１７）それぞれの間に位置している。これにより、端子集合体１３におけるオスタブ部１７のところでは、端子集合体１３の幅方向で、第２の連結部５９、間隙、オスタブ部１７、間隙、第２の連結部５９、間隙、オスタブ部１７、間隙、・・・間隙、第２の連結部５９がこの順でならんでいる。
【００４５】
折り返し部１９を形成してあることで、端子集合体１３の前後方向で、第１の連結部５７と各オスタブ部１７とが所定の距離（オスタブ部１７の先端側部位３７の前後方向の寸法よりも僅かに大きな距離）だけ離れている（図８参照）。
【００４６】
なお、端子集合体１３での各端子７と端子キャリヤ部１１との分離は、第２の連結部５９の先端（端子７の第２の圧入部４９に接している部位；接続部）１５でなされるようになっている。
【００４７】
次に、端子集合体１３の製造方法について詳しく説明する。まず、矩形状の金属の素材に金型を用いて打ち抜き加工をし、弾性接触部２１になるところを「へ」字状に曲げ加工し、弾性接触部２１を生成する（図９参照）。この状態では、折り返し部１９になる部位（「コ」字状の部位４３になる部位）が、「一」字状の部位４１の後端から後方に向かって延出している（図９参照）。
【００４８】
続いて、「一」字状の部位４１と、「コ」字状の部位４３になる部位を曲げ加工してこの断面形状を「コ」字状にするとともに、「一」字状の部位４１と「コ」字状の部位４３との境界で、ほぼ１８０°の折り返しをして（「コ」字状の部位４３を前側に折り返して）、断面が「ロ」字状のオスタブ部１７（先端側部位３７）を形成する（図８、図９、図１１（ｃ）参照）。
【００４９】
なお、先端側部位３７は、この断面が「ロ」字状に形成されているが、必ずしも、「ロ」字状に形成されている必要なく、オスタブ部１７（先端側部位３７）の厚さ（高さ方向の寸法）が確保されまた強度が確保されれば、「Ｖ」字状や「Ｕ」字状等の他の形状に形成されていてもよい。
【００５０】
次に、コネクタ１の端子設置方法について説明する。
【００５１】
コネクタ１の端子設置方法は、すでに理解されるように、端子７が挿入され圧入されて一体的に設置される端子設置部９が所定のピッチＰ１で幅方向にならんで複数設けられているハウジング５の各端子設置部９のそれぞれに、端子７を設置する方法である。
【００５２】
コネクタ１の端子設置方法では、まず、端子キャリヤ部１１によってお互いが接続されて所定のピッチ（ハウジング５の端子設置部９のピッチＰ１と同じピッチ）Ｐ２で幅方向にならんでいる各端子７のそれぞれを前側に移動することで、ハウジング５の後側からハウジング５の各端子設置部９のそれぞれに挿入し圧入して仮設置する（仮設置工程；図７の下側の端子集合体１３および図８を参照）。
【００５３】
仮設置が終了した状態では、端子７の第１の圧入部４５が、ハウジング５の嵌合部２９に圧入されており、第２の圧入部４７は、嵌合部２９の後側に位置している。また、オスタブ部１７の後端の位置と半挿入検知部（仮設置検知部）２３の後端の位置とが前後方向でお互いに一致している。
【００５４】
上記仮設置段階で各端子を仮設置した後、各端子７のそれぞれから端子キャリヤ部１１をたとえば切断し分離して撤去する（撤去工程）。
【００５５】
上記撤去工程で端子キャリヤ部１１を撤去した後、各端子７のそれぞれをさらに前側に移動し挿入し圧入して、ハウジング５の各端子設置部９のそれぞれに本設置する（本設置工程；図４および図７の上側の端子７を参照）。
【００５６】
本設置が終了した状態では、第２の圧入部４７が、ハウジング５の嵌合部２９に圧入されている。
【００５７】
なお、前述したように、各端子７が上下２段になっているので、１つのハウジング５には２つの端子集合体１３が設置されるようになっている。
【００５８】
コネクタ１では、各端子７が上下２段に配置されており、回路基板３をコネクタ１の回路基板設置部３５に挿入して設置すると、上下一対の端子７によって、回路基板３が挟まれるようになっている（図４参照）。
【００５９】
また、コネクタ１（オスタブ部１７）に電線用端子（図示せず）を設置するときには、電線用端子が一対の半挿入検知部２３で挟まれてガイドされるようになっている。
【００６０】
なお、コネクタ１では、図８等で示すように、ハウジング５の総ての端子設置部（幅方向にならんでいる総ての端子設置部）９に一度に各端子７を設置することなく、一部の端子設置部（幅方向とお互いが隣接してならんでいる各端子設置部）９にのみ、一度に各端子７を設置している。すなわち、各端子設置部９が上下２段にならんでいるので、２×２＝４回（複数回）に分けて、各端子７のそれぞれを各端子設置部９のそれぞれに設置している。これに対して、ハウジング５の総ての端子設置部９に一度に各端子７を設置するような構成にしてもよい。
【００６１】
コネクタ１によれば、ハウジング５の各端子設置部９に設置されるときには、各端子７が端子キャリヤ部１１によってお互いが接続されて所定のピッチＰ１，Ｐ２でならんでいるので、各端子７を１本ずつハウジング５に設置することなく、一度に一括して挿入し設置することができ、各端子７に設置に要する時間を短縮することができる。
【００６２】
また、コネクタ１によれば、各端子７のオスタブ部１７に幅方向の寸法を小さくするための折り返し部１９が形成されているので、オスタブ部１７の強度を確保することができ、各端子７間の幅方向のピッチＰ２を小さくすることができ、ハウジング５の端子設置部９のピッチＰ１に合わせることができる。
【００６３】
また、コネクタ１によれば、各端子７がハウジング５の端子設置部９に仮設置されたときに、端子キャリヤ部１１が分離されて撤去され、この分離撤去後、各端子７それぞれの端子設置部９への本設置がされるので、仮設置をするまでに要する時間を短縮することができる。また、本設置するときには、すでに仮設置されて位置決めがなされている各端子７毎（１本の端子７毎）に圧入がなさなれるので、各端子７毎の圧入を比較的小さな力でまたガイドされる形態で確実に行って各端子７をハウジング５に確実に係止して本設置状態にすることができる。
【００６４】
また、コネクタ１によれば、各端子７のそれぞれが各端子設置部９のそれぞれに仮設置された状態を検知するための半挿入検知部２３がハウジング５に設けられているので各端子７（端子集合体１３）が仮設置状態になっていることを簡単に見極めることができる。
【００６５】
さらに、半挿入検知部２３が、各端子７がハウジング５の端子設置部９に本設置されたときにオスタブ部１７を保護するとともにガイドするように構成されているので、ハウジング５の構成を煩雑にすることなく、端子７の仮設置状態の検知とオスタブ部１７の保護等の機能を両立させることができる。
【００６６】
ところで、図１２に示すように、端子７ａの形状を変形してもよい。図１２で示す端子７ａでは、端子７ａのオスタブ部１７が、弾性接触部２１が湾曲して突出している側とは反対側にオフセットされている。さらに説明すると、オスタブ部１７の基端側部位３９が、中間部３３に対して９０°曲がって高さ方向に延びており、オスタブ部１７の先端側部位３７が基端側部位３９に対して９０°曲がって後側に延びている。
【００６７】
これにより、上下２段で設けられている一対の端子７ａにおいて、一対のオスタブ部１７（先端側部位３７）間の寸法（上下方向の寸法）を大きくすることができ、コネクタにサイズの大きな電線用端子を設置することができる。
【００６８】
なお、図１２に示す端子７ａが設置されるハウジング（図示せず）は、端子７ａの形状を合わせて、その形状適宜変更されている。
【００６９】
また、端子７ｂとして図１３に示すものを採用してもよい。図１３に示す端子７ｂは、弾性接触部２１に代えて、電線接続部（カシメによって電線を保持する部位）６１が設けられている点が、図１１等で示す端子７と異なる。図１３に示す端子７ｂが設置されたハウジング（図示せず）も、図１３に示す端子７ｂの形状を合わせて、その形状適宜変更されている。
【００７０】
また、図１３に示す端子７ｂが設置されたコネクタ（図示せず）は、前側から電線が延出しており、後側には、別の電線を延出させるための電線用端子が接続されるようになっている。
【００７１】
また、図１３に示す端子７ｂにおいて、オスタブ部１７に代えて、弾性接触部２１を設けてもよい。さらに、コネクタ１の端子７において、オスタブ部１７や弾性接触部２１や電線接続部６１を、適宜組み合わせて設けてもよい。たとえば、端子の前側にオスタブ部を配置し端子の後側に別のオスタブ部を設けてもよい。また、オスタブ部１７や弾性接触部２１や電線接続部６１に代えて別の係合部を設けてもよい。
【符号の説明】
【００７２】
１  コネクタ
５  ハウジング
７  端子
９  端子設置部
１７  オスタブ部
１９  折り返し（折り返し部）
２３  半挿入検知部
Ｐ１  端子設置部のピッチ
Ｐ２  ハウジングのピッチ
【図１】
2014120425.tif 000003
【図２】
2014120425.tif 000004
【図３】
2014120425.tif 000005
【図４】
2014120425.tif 000006
【図５】
2014120425.tif 000007
【図６】
2014120425.tif 000008
【図７】
2014120425.tif 000009
【図８】
2014120425.tif 000010
【図９】
2014120425.tif 000011
【図１０】
2014120425.tif 000012
【図１１】
2014120425.tif 000013
【図１２】
2014120425.tif 000014
【図１３】
2014120425.tif 000015
【図１４】
2014120425.tif 000016
【図１５】
2014120425.tif 000017
【図１６】
2014120425.tif 000018